(57)【要約】      （修正有）【課題】光コネクタを提供する。【解決手段】光コネクタ１００であって、嵌め合わせたシェル１とスライダ２と把持部とを含み、嵌め合わせたシェルが弾性アーム１２を含み、弾性アームが嵌め合わせたシェルの外側から外方に向けて斜めに延伸され、弾性アームの両側に各々複数の係合突起１３及び複数の突起１４を有し；スライダは、嵌め合わせたシェルを外嵌し、複数の側壁２１と、各側壁の側面に形成された複数の摺動溝２４とを含み、各突起が各摺動溝内に各々係止され、複数の側壁の一側に各々嵌合溝２５を有し；把持部３の一端から各側壁の間に突入された延伸部３１を延伸し、把持部は延伸部の外側に位置する複数の嵌合凸部３５を含み、各嵌合凸部が各嵌合溝に係止される。把持部の嵌合凸部がスライダ２の嵌合溝に係止することで、光コネクタのアダプタに抜き差す押引力を増加させる。【選択図】図２
0003225080.tif 000002
【実用新案登録請求の範囲】
【請求項１】
弾性アームを含み、前記弾性アームが嵌め合わせたシェルの外側から外方に向けて斜めに延伸され、前記弾性アームの両側に各々複数の係合突起及び複数の突起を有する嵌め合わせたシェルと、
前記嵌め合わせたシェルを外嵌し、複数の側壁と、各前記側壁の側面に形成された複数の摺動溝とを含み、各前記突起が各前記摺動溝内に各々係止され、前記側壁の一側に各々嵌合溝を有するスライダと、
一端から各前記側壁の間に突入された延伸部を延伸し、前記延伸部の外側に位置する複数の嵌合凸部を含み、各前記嵌合凸部が各前記嵌合溝に係止される把持部と、
を含む、光コネクタ。
【請求項２】
前記側壁の各前記嵌合溝の開口部に係止部が設けられ、各前記嵌合凸部に前記係止部に係止されるストッパーが設けられる、請求項１に記載の光コネクタ。
【請求項３】
前記スライダは、前記側壁の間に位置する複数の仕切部を含み、前記把持部の一端から各前記側壁の間に突入される複数の延伸部を延伸し、前記把持部は各前記延伸部の間に位置する延伸アームを含み、前記延伸アームが各前記仕切部の間に突入される、請求項１に記載の光コネクタ。
【請求項４】
各前記仕切部の端面は、傾斜面を形成し、前記延伸アームの端部に前記傾斜面を覆う当て板が設けられる、請求項３に記載の光コネクタ。
【請求項５】
各前記仕切部の一側に各々係止溝を有し、前記延伸アームの両側に前記係止溝に係止する係着部を更に有する、請求項３に記載の光コネクタ。
【請求項６】
前記スライダは、収容溝と、前記収容溝の内側面に形成された複数の係止フックとを含み、前記嵌め合わせたシェルの外側面に各前記係止フックを係止するための複数の凹溝が各々形成される、請求項１に記載の光コネクタ。
【請求項７】
前記嵌め合わせたシェルの外側面は、前記スライダの端面に止着する複数の止め部を有する、請求項６に記載の光コネクタ。
【請求項８】
各前記摺動溝は、前側傾斜面と、後側傾斜面と、前記前側傾斜面及び前記後側傾斜面の頂端に連結される凹部とを含む、請求項１に記載の光コネクタ。
【請求項９】
前記スライダが第１位置に移動した時、各前記突起は前記前側傾斜面まで摺動すると共に各前記係合突起を移動させる、請求項８に記載の光コネクタ。
【請求項１０】
前記スライダが第２位置に移動した時、各前記突起は前記凹部まで摺動すると共に各前記係合突起を移動させる、請求項９に記載の光コネクタ。
【考案の詳細な説明】
【技術分野】
【０００１】
本考案は、コネクタに関し、特に、光コネクタに関する。
【背景技術】
【０００２】
光ファイバーは、光伝導のツールであり、光ファイバーを様々な電子機器に接続して伝送される情報を電子機器に使用させることができため、光ファイバーと電子機器の媒体とするコネクタが必要とされることで、接続目的を達成する。従来の光コネクタは、メス型アダプタ（Ａｄａｐｔｅｒ）とオス型光コネクタを組み合わせてから成り、メス型アダプタ（Ａｄａｐｔｅｒ）が電子機器に設けられ、オス型光コネクタをアダプタに差し込むと、その接続関係を構成することで、係着及びデータ伝送の目的を達成できる。
【０００３】
従来のラックに大量のパッチコードが組み込まれ、かつ線材の間隔が短すぎ、その中のいずれか線材を交換する時、手でオス型光コネクタ上の弾性アームを正常に押さえつけることができないため、弾性アームをメス型アダプタの嵌合から離脱させることができなくなり、線材の抜き取りの困難が生じ、更には、線材全体及びその他の線材を破損し、かつ配線の数量がスペースの影響を受けて配線数量が減ってしまう。
【考案の概要】
【考案が解決しようとする課題】
【０００４】
本考案は、かかる従来の問題点に鑑みてなされたもので、光コネクタ構造を提供する。
【課題を解決するための手段】
【０００５】
本考案の一実施例に係る光コネクタは、嵌め合わせたシェルとスライダと把持部とを含み、嵌め合わせたシェルが弾性アームを含み、弾性アームが嵌め合わせたシェルの外側から外方に向けて斜めに延伸され、弾性アームの両側に各々複数の係合突起及び複数の突起を有し；スライダは、嵌め合わせたシェルを外嵌し、複数の側壁と、各側壁の側面に形成された複数の摺動溝とを含み、各突起が各摺動溝内に各々係止され、複数の側壁の一側に各々嵌合溝を有し；把持部の一端から各側壁の間に突入された延伸部を延伸し、把持部は延伸部の外側に位置する複数の嵌合凸部を含み、各嵌合凸部が各嵌合溝に係止される。
【０００６】
幾つかの実施例において、複数の側壁の各嵌合溝の開口部に係止部が設けられ、各嵌合凸部に係止部に係止されるストッパーが設けられる。
【０００７】
幾つかの実施例において、スライダは、各側壁の間に位置する複数の仕切部を含み、把持部の一端から各側壁の間に突入される複数の延伸部を延伸し、把持部は各延伸部の間に位置する延伸アームを含み、延伸アームが各仕切部の間に突入される。
【０００８】
幾つかの実施例において、各仕切部の端面は、傾斜面を形成し、延伸アームの端部に傾斜面を覆う当て板が設けられる。
【０００９】
幾つかの実施例において、各仕切部の一側に各々係止溝を有し、延伸アームの両側に係止溝に係止する係着部を更に有する。
【００１０】
幾つかの実施例において、スライダは、収容溝と、収容溝の内側面に形成された複数の係止フックとを含み、嵌め合わせたシェルの外側面に各係止フックを係止するための複数の凹溝が各々形成される。
【００１１】
幾つかの実施例において、嵌め合わせたシェルの外側面はスライダ端面に止着する複数の止め部を有する。
【００１２】
幾つかの実施例において、各摺動溝は、前側傾斜面と、後側傾斜面と、前側傾斜面及び後側傾斜面の頂端に連結される凹部とを含む。
【００１３】
幾つかの実施例において、スライダが第１位置に移動した時、各突起は前側傾斜面まで摺動すると共に各係合突起を移動させる。
【００１４】
幾つかの実施例において、スライダが第２位置に移動した時、各突起は凹部まで摺動すると共に各係合突起を移動させる。
【考案の効果】
【００１５】
光コネクタに延伸の把持部を増設することにより、利用者に把持部の操作及び力を把持部にかけて移動させることを容易にする。かつ、把持部の嵌合凸部がスライダの嵌合溝に係止することでき、押引力を増加させる。
【００１６】
把持部の延伸アームが各仕切部の間に突入される作用を通じて、その把持部でスライダを押し引きした時、その加力を分散させることで、把持部の前端の変形を防止でき、また押引力を増加させることもできる。また、把持部の前端左右箇所が凹凸構造となり、把持部を上から下にスライダ上方の対応部位に嵌め込むことで、製造や組み立てを容易にする。
【００１７】
以下に、実施形態において本考案の詳細な特徴及びび利点を詳述し、その内容は当業者に本考案の技術内容について十分理解してもらうと共にこれをもって実施できる。且つ本明細書で開示される内容、実用新案登録請求の範囲及びび図面に基づくと、当業者も簡単に本考案に係わる目的及びび利点を理解できる。
【図面の簡単な説明】
【００１８】
【図１】本考案の実施例１の外観図である。
【図２】本考案の実施例１の分解図（一）である。
【図３】本考案の実施例１の分解図（二）である。
【図４】本考案に係るスライダ及び把持部の外観図である。
【図５】本考案に係るスライダ及び把持部の側面分解図である。
【図６】本考案に係るスライダ及び把持部の側面組立図である。
【図７】本考案の一実施例に係る側面断面図である。
【図８】本考案とアダプタを分離した場合の側面図である。
【図９】本考案とアダプタを組み立てた場合の側面図である。
【図１０】本考案の別の態様に係るスライダ及び把持部の上面図（一）である。
【図１１】本考案の実施例２の上面図である。
【考案を実施するための形態】
【実施例１】
【００１９】
図１乃至図４を参照すると、本考案の実施例１に係る光コネクタ１００であり、図１は外観図、図２が各部品の分解図（一）、図３が光コネクタとキャップ８の分解図（二）、図４がスライダ２及び把持部３の外観図である。本実施例において、２個の嵌め合わせたシェル１として説明するが、これに限られるものではなく、一実施態様では１個の嵌め合わせたシェル１或いは３個以上の嵌め合わせたシェル１を使用できる。ここで、２個の嵌め合わせたシェル１は、１個の把持部３構造を使用するが、これに限られるものではない。幾つかの実施態様では、１個の嵌め合わせたシェル１には１個の把持部３構造のみを使用でき、また３個以上の嵌め合わせたシェル１に１個の把持部３構造のみを使用することもできる。
【００２０】
図１乃至図４を参照すると、本実施例において、光コネクタ１００は、複数の嵌め合わせたシェル１とスライダ２と把持部３とを含み、各嵌め合わせたシェル１が並列に並べられ、開口部１１１と収容部１１２とを備え、長方形構造であり、各収容部１１２が各嵌め合わせたシェル１の内部に形成され、各開口部１１１が各嵌め合わせたシェル１の一端に形成されることで各収容部１１２に連通する。且つ、複数の嵌め合わせたシェル１は、間隔領域を含み、間隔領域が各嵌め合わせたシェル１の間に形成され、各嵌め合わせたシェル１が並列に並べられると共に隙間を残しておく。且つ、嵌め合わせたシェル１の後端にキャップ８が結合され、キャップ８が通信ケーブル外被を嵌設する。
【００２１】
図１乃至図４を参照すると、本実施例において、各嵌め合わせたシェル１は、弾性アーム１２を含み、各弾性アーム１２の前端が各嵌め合わせたシェル１外部の一側から外方に向けて斜めに延伸され、各弾性アーム１２の後端が各嵌め合わせたシェル１外部の他側に位置し、各弾性アーム１２の後端と各嵌め合わせたシェル１の外部表面との間で高低差を形成し、すなわち、各弾性アーム１２が各嵌め合わせたシェル１上の当初所定位置に位置する。
【００２２】
図１乃至図４を参照すると、本実施例では、各弾性アーム１２は、複数の係合突起１３と複数の突起１４とを含み、各係合突起１３が各々弾性アーム１２の両側から外方に向けて突出され、かつ各係合突起１３が各弾性アーム１２の段間部の両側から外方に向けて突出され、光ファイバーアダプタ９の嵌着部９３（図８）を嵌め合うために用いられ、各突起１４が各弾性アーム１２の尾部の両側から外方に向けて突出される。
【００２３】
図１乃至図４を参照すると、本実施例では、スライダ２は、方形の中空ブロックであり、嵌め合わせたシェル１を外嵌し、複数の側壁２１と、各側壁２１側面に形成された複数の摺動溝２４とを含み、複数側壁２１がスライダ２の頂部から外方に向けて突出され、各突起１４が各摺動溝２４内に各々係止され、複数の側壁２１の一側に嵌合溝２５を各々有し、各嵌合溝２５が各側壁２１の頂面から内方に凹入して形成される。ここで、各摺動溝２４は、前側傾斜面２４１と、後側傾斜面２４２と、前側傾斜面２４１及び後側傾斜面２４２の頂端に連結された凹部２４３（図５）とを含む。
【００２４】
図１乃至図４を参照すると、本実施例において、把持部３は、細長い状の板材であり、把持部３の一端がスライダ２に連結され、把持部３の他端が通信ケーブルの上方まで延伸され、把持部３の一端から各側壁２１の間に突入される複数の延伸部３１を延伸し、把持部３が各延伸部３１の外部に位置する嵌合凸部３５を含み、各嵌合凸部３５が各嵌合溝２５に係止される。長さを延伸する把持部３の増設を通じて、利用者に把持部３の操作及び力を把持部３にかけてスライダ２を移動させることを容易にし、且つ把持部３の前端左右箇所が凹凸構造であり、把持部３を上から下にスライダ２の上方の対応部位に嵌め込むことで、組み立てを容易にする。
【００２５】
図５乃至図６を参照すると、図５は、スライダ２及び把持部３の側面分解図であり、図６がスライダ２及び把持部３の側面組立図である。本実施例では、複数の側壁２１は各嵌合溝２５の開口部に係止部２６が設けられ、各嵌合凸部３５に係止部２６に係止するストッパー３６が設けられることで、把持部３がスライダ２から離脱することを防止できる。
【００２６】
図１乃至図４を参照すると、本実施例では、スライダ２は、複数の側壁２１の間に位置する複数の仕切部２２を含み、各仕切部２２が各側壁２１の設置方法と同じ、且つ、把持部３が各延伸部３１の間に位置する延伸アーム３２を含み、延伸アーム３２が各仕切部２２の間に突入される。また、各仕切部２２の端面は傾斜面２２１を形成し、延伸アーム３２の端部に傾斜面２２１を覆う当て板３２１が設けられる。言い換えると、把持部３の中間前端に前当て部及び後当て部構造を増設し、把持部３でスライダ２を押し引きする時、その加力を分散することで、把持部３前端の変形を防止でき、押引力も増すことができる。
【００２７】
図１乃至図４を参照すると、本実施例では、スライダ２は、複数の収容溝２０と各収容溝２０の内側面に形成された複数の係止フック２８とを含み、各嵌め合わせたシェル１の外側面に各係止フック２８の係止に用いられる複数の凹溝１８が各々形成され、スライダ２が嵌め合わせたシェル１の後端に移動して嵌め合わせたシェル１から離脱することを止めるために用いられる。
【００２８】
図１乃至図４を参照すると、本実施例では、嵌め合わせたシェル１の外側面は、スライダ２の端面に止着する止め部１７を有し、スライダ２が嵌め合わせたシェル１の前端に移動することを止めるために用いられる。
【００２９】
図２、図７乃至図９を参照すると、図７は、側視断面図であり、図８がアダプタ９と分離した場合の側面図であり、図９がアダプタ９と組み立てた場合の側面図である。本実施例では、把持部３を引いた時、スライダ２が嵌め合わせたシェル１上において水平に移動し、スライダ２を第１位置Ｐ１に移動した時、各突起１４が前側傾斜面２４１まで摺動すると共に各係合突起１３を移動させ、弾性アーム１２が下向きに揺動し、各係合突起１３がアダプタ９の嵌着部９３から離脱し、光コネクタ１００が抜き出される。
【００３０】
スライダ２が第２位置Ｐ２に移動された時、各突起１４は凹部２４３まで摺動すると共に各係合突起１３を移動させる。各弾性アーム１２は、復元力を持つ部材であり、光コネクタ１００がアダプタ９筐体内に挿入された時、各弾性アーム１２の復元により係合突起１３を嵌着部９３に嵌着し、光コネクタ１００が光ファイバーアダプタ９の筐体内に係着され、弾性アーム１２が上向きに元の位置に揺動し、開始位置に戻る。
【００３１】
図乃２至図３を参照すると、本実施例では、光コネクタ１００は、複数の芯管アセンブリ７を含み、各芯管アセンブリ７が各嵌め合わせたシェル１内に各々設けられ、芯管アセンブリ７が各開口部１１１に位置するスタブ７１と芯管７３とバネ７５とスリーブ７６とを含み、芯管７３がセラミック材質であり、光ファイバーケーブルを覆うと共に光ファイバーケーブルを芯孔にエッジトリムさせるために用いられ、スタブ７１が芯管７３の一端に位置し、スリーブ７６の一端が芯管７３の他端に嵌め込まれ、スリーブ７６の他端が通信ケーブルに接続され、スリーブ７６が嵌め合わせたシェル１の後端に取り付けられ、バネ７５が芯管７３の他端に嵌め込まれ、スリーブ７６内に突入され、バネ７５の一端が芯管７３に当接支持し、バネ７５の他端がスリーブ７６に当接支持し、バネ７５が芯管７３に緩衝の効果を持たせるために用いられる。
【００３２】
図１０を参照すると、図１０は、別の態様に係るスライダ２及び把持部３の上面図（一）である。幾つかの実施例では、各仕切部２２の一側に各々係止溝２９を有し、延伸アーム３２の両側に係止溝２９に係止する係着部３９を更に有することで、把持部３とスライダ２の係止を補強し、把持部３の押引力も増す。
【実施例２】
【００３３】
図１１を参照すると、図１１は、上面図で、本考案の実施例２である。実施例２と実施例１の相違点は、図２に示すように、実施例１は、複数の嵌め合わせたシェル１を使用し、実施例２が１個の嵌め合わせたシェル１を使用することである。本実施例では、把持部３の一端から各側壁２１の間に突入される１個の延伸部３１を延伸し、１個の延伸部３１の両側から嵌合凸部３５を延伸して、各嵌合凸部３５が各嵌合溝２５に係止される。且つ、スライダ２は、１個の収容溝２０と収容溝２０の内側面に形成された複数の係止フック２８（図２の係止フック２８）とを含み、１個の嵌め合わせたシェル１に１個の収容溝２０を組み込み、且つ１個の嵌め合わせたシェル１の外側面に各係止フック２８の係止に用いられる複数の凹溝１８が各々形成される。
【産業上の利用可能性】
【００３４】
光コネクタに延伸の把持部を増設することにより、利用者に把持部の操作及び力を把持部にかけて移動させることを容易にする。かつ、把持部の嵌合凸部がスライダの嵌合溝に係止することができ、光コネクタをアダプタに抜き差す押引力を増加させる。
【００３５】
把持部の延伸アームが各仕切部の間に突入される作用を通じて、その把持部でスライダを押し引きした時、その加力を分散させることで、把持部の前端の変形を防止でき、また押引力を増加させることもできる。また、把持部の前端左右箇所が凹凸構造となり、把持部を上から下にスライダ上方の対応部位に嵌め込むことで、製造や組み立てを容易にする。
【００３６】
以上考案の詳細な説明の項を通じて本考案の目的及びび効果に実施の進歩性を有し、極めて産業上の利用可能性を有し、完全に特許要件に適合することを十分示すことができるため、法律に基づいて出願を提出する。ただし、以上述べたのは、僅か本考案の好ましい実施例だけであって、本考案の実施範囲を限定することはない。本考案の実用新案登録請求の範囲を脱しない均等の範囲内で各種の変更や修飾を加えることは、本考案の実用新案でカバーする範囲内に属し、審査官は、何卒ご審理の上、速やかに特許査定賜りますようお願いする次第であります。
【符号の説明】
【００３７】
１００ 光コネクタ
１     嵌め合わせたシェル
１１１ 開口部
１１２ 収容部
１２   弾性アーム
１３   係合突起
１４   突起
１７   止め部
１８   凹溝
２     スライダ
２０   収容溝
２１   側壁
２２   仕切部
２２１ 傾斜面
２４   摺動溝
２４１ 前側傾斜面
２４２ 後側傾斜面
２４３ 凹部
２５   嵌合溝
２６   係止部
２８   係止フック
２９   係止溝
３     把持部
３１   延伸部
３２   延伸アーム
３２１ 当て板
３５   嵌合凸部
３６   ストッパー
３９   係着部
７     芯管アセンブリ
７１   スタブ
７３   芯管
７５   バネ
７６   スリーブ
８     キャップ
９     アダプタ
９３   嵌着部
Ｐ１   第１位置
Ｐ２   第２位置
【図１】
0003225080.tif 000003
【図２】
0003225080.tif 000004
【図３】
0003225080.tif 000005
【図４】
0003225080.tif 000006
【図５】
0003225080.tif 000007
【図６】
0003225080.tif 000008
【図７】
0003225080.tif 000009
【図８】
0003225080.tif 000010
【図９】
0003225080.tif 000011
【図１０】
0003225080.tif 000012
【図１１】
0003225080.tif 000013